(57)【特許請求の範囲】
【請求項１】
エレベータの乗りかごに設けられたかご呼び登録装置及び各階エレベータホールに設けられた乗り場呼び登録装置からの呼びに応じて前記乗りかごを目的階に移動させるエレベータシステムの救助運転方法であって、
建物内の火災が検出されると、各階乗り場呼び登録装置からの乗り場呼びをキャンセルし、各階乗り場呼び登録装置により、複数回のボタン連打による救助呼び方法を案内させ、
前記救助呼び方法の案内後は、表示した救助呼び方法による呼びがあった場合のみ、救助呼びのあった階床への救助運転を許可する
ことを特徴とするエレベータシステムの救助運転方法。
【請求項２】
エレベータの乗りかごに設けられたかご呼び登録装置及び各階エレベータホールに設けられた乗り場呼び登録装置からの呼びに応じて前記乗りかごを目的階に移動させるエレベータシステムであって、
建物内の火災発生が検出されると、各階乗り場呼び登録装置からの乗り場呼びをキャンセルし、各階乗り場呼び登録装置に、呼びボタン連打による救助呼び方法を案内させる救助呼び指示手段と、
前記救助呼び方法の案内後は、案内した救助呼び方法による呼びがあった場合のみ、救助呼びのあった階床への救助運転を許可する救助運転制御手段と、
を備えたことを特徴とするエレベータシステム。
【請求項３】
前記救助運転制御手段は、前記救助呼び方法の案内後に、案内した救助呼び方法による呼びがあった場合、救助呼びのあった階床の呼びボタンの応答灯を点灯させることを特徴とする請求項２に記載のエレベータシステム。
【請求項４】
前記救助運転制御手段は、前記救助呼び方法の案内後に、一定時間以上連続した呼びがあった場合、呼びのあった乗り場呼び登録装置に、この乗り場呼び登録装置は使えないことを案内させることを特徴とする請求項２又は請求項３に記載のエレベータシステム。
【請求項５】
前記各階乗り場呼び登録装置からの案内出力は、音声出力装置による音声出力又は表示パネルによる文字表示のいずれか又は双方であることを特徴とする請求項２乃至請求項４のいずれかに記載のエレベータシステム。
【発明の詳細な説明】
【技術分野】
【０００１】
本発明の実施形態は、火災時の救出運転を安全に行うことができるエレベータシステムの救出運転方法及びエレベータシステムに関する。
【背景技術】
【０００２】
一般に、建物内において火災が発生した場合、建物内から人員を避難させる手段として、建物に備えられているエレベータを活用することが考えられている。このようなエレベータを用いた避難に関し、多くの提案がなされている（例えば、特許文献１参照）。
【先行技術文献】
【特許文献】
【０００３】
【特許文献１】特開２００４−２６９１５４号公報
【発明の概要】
【発明が解決しようとする課題】
【０００４】
ところで、エレベータシステムは、エレベータの乗りかごに設けられたかご呼び登録装置及び各階エレベータホールに設けられた乗り場呼び登録装置からの呼びに応じて乗りかごを目的階に移動させている。このようなエレベータシステムにおいて、建物のエレベータ乗り場、又はその近くで火災が発生したり、或いは、炎が回ってきている場合は、その熱によって乗り場呼び登録装置に設けられた呼びボタンの接点が溶着してしまうことがある。
【０００５】
このように乗り場呼びボタンの接点が溶着してしまうと、非常用エレベータの場合、避難者はこの乗り場呼び登録装置から呼びを行うことができなくなる。また、乗り場呼びボタンの接点が溶着すると、運転制御装置側から見ると、乗り場呼びが継続して出力されてることと同じ状態となる。このため、エレベータで避難運転しているとき、この接点溶着による乗り場呼びに応答し、乗りかごが火災発生階に着床してドアを開いてしまい、乗客が被害を受ける可能性がある。
【０００６】
解決しようとする課題は、炎が接近しているようなエレベータホールへの着床を確実に防止できるエレベータシステムの救出運転方法及びエレベータシステムを提供することにある。
【課題を解決するための手段】
【０００７】
本発明の実施の形態によれば、エレベータの乗りかごに設けられたかご呼び登録装置及び各階エレベータホールに設けられた乗り場呼び登録装置からの呼びに応じて前記乗りかごを目的階に移動させるエレベータシステムの救助運転方法であって、建物内の火災が検出されると、各階乗り場呼び登録装置からの乗り場呼びをキャンセルし、各階乗り場呼び登録装置により、複数回のボタン連打による救助呼び方法を案内させ、前記救助呼び方法の案内後、表示した救助呼び方法による呼びがあった場合のみ、救助呼びのあった階床への救助運転を許可することを特徴とする。
【０００８】
本発明の実施の形態によるエレベータシステムは、建物内の火災発生が検出されると、各階乗り場呼び登録装置からの乗り場呼びをキャンセルし、各階乗り場呼び登録装置に、呼びボタン連打による救助呼び方法を案内させる救助呼び指示手段と、前記救助呼び方法の案内後、案内した救助呼び方法による呼びがあった場合のみ、救助呼びのあった階床への救助運転を許可する救助運転制御手段とを備えたことを特徴とする。
【図面の簡単な説明】
【０００９】
【図１】本発明の一実施の形態に係るエレベータシステムの全体構成を示す構成図である。
【図２】本発明の一実施の形態における乗り場呼び登録装置の構成を説明する図である。
【図３】本発明の一実施の形態における運転制御装置の構成を説明する図である。
【図４】本発明の一実施の形態の動作を説明するフローチャートである。
【発明を実施するための形態】
【００１０】
以下、本発明の実施の形態について、図面を参照して詳細に説明する。
【００１１】
図１はこの実施の形態に係るエレベータシステムの全体構成を示している。図１において、建物１０内には昇降路１４が設けられ、この昇降路１４内にはエレベータ乗りかご（以下、単に乗りかごと呼ぶ）１２と釣合錘２１とがそれぞれ図示しないガイドレールにより昇降可能に設けられている。これら乗りかご１２と釣合錘２１とは、巻き上げ機１７のシーブに巻き掛けられたロープ２２により接続されており、巻き上げ機１７の回転により相互に昇降駆動される。
【００１２】
建物１０の乗りかご１２が停止可能な各階床のエレベータホールには、乗り場呼び登録装置１５がそれぞれ設けられている。また、乗りかご１２内には、乗客の操作により目的階を指定するかご呼び登録装置１６が設けられている。エレベータの運転制御装置１１は各乗り場呼び登録装置１５及びかご呼び登録装置１６と伝送ライン１３によりそれぞれ接続しており、乗り場呼び登録装置１５及びかご呼び登録装置１６からの呼びに応じて巻上機１７を制御し、乗りかご１２を目的階に移動させる。また、この運転制御装置１１は、建物１０の各階に設けられた火災検出器２３と接続しており、各火災検出器２３からの火災検出信号が入力される。
【００１３】
各階床のエレベータホールに設けられた乗り場呼び登録装置１５は、図２で示すように、乗り場呼びボタン２５及び表示パネル２６を有する乗り場表示装置２７と、乗り場制御装置２８とを有し、運転制御装置１１との間で伝送ライン１３を介して各種信号を授受する。また、乗り場表示装置２７の盤面上に、煙又は炎を感知する感知素子２９を設けており、その感知信号は、乗り場制御装置２８及び伝送ライン１３を経て運転制御装置１１に入力される。
【００１４】
運転制御装置１１は、前述のように、乗り場呼び登録装置１５及びかご呼び登録装置１６からの呼びに応じて巻上機１７を制御し、乗りかご１２を目的階に移動させるものであり、図３で示すように、上記機能を実行する運転制御手段３０の他に、救助呼び指示手段３１と、救助運転制御手段３２とを有する。
【００１５】
救助呼び指示手段３１は、各火災検出装置２３からの火災検出信号や、各乗り場呼び登録手段１５の表示部２７に設けられた煙又は炎感知素子２９からの感知信号が入力され、建物１０内の火災発生が検出されると、その時点で入力されていた各階乗り場呼び登録装置１５からの乗り場呼びを一旦、全てキャンセルする。その後、各階乗り場呼び登録装置１５に、呼びボタン連打による救助呼び方法を案内させ、乗り場にいる避難者に救助呼び方法を指示する。この呼びボタン連打による救助呼び方法とは、例えば、「乗り場呼びボタン（ＵＰ／ＤＮの何れでも可）２５を１０回繰り返して押す」ことであり、その旨、各階乗り場呼び登録装置１５から、図示しない音声出力装置により音声出力したり、表示パネル２６に文字表示したりする。
【００１６】
救助運転制御手段３２は、各階乗り場呼び登録装置１５により上述した救助呼び方法が案内された後、案内したとおりの救助呼び方法による呼び（正しい救助呼びとする）があると、運転制御手段３０に対して救助運転を許可し、正しい救助呼びのあった階床へ乗りかご１６を向わせて着床させるよう指示する。また、この正しい救助呼びのあった階床の呼びボタン２５の応答灯を点灯させ、救助予備を行った避難者に対して救助が受け付けられたことを知らせる。
【００１７】
また、救助運転制御手段３２は、各階乗り場呼び登録装置１５による救助呼び方法の案内が行われた後に、一定時間以上連続した呼びがあった場合、この呼びが接点溶着によるものと判断し、呼びのあった階床への救出運転は許可しない。また、この一定時間以上連続した呼びのあった階床に対しては、その階床の乗り場呼び登録装置１５により、この乗り場呼び登録装置１５は使えないことを案内させる。この案内も、音声出力又は文字表示のいずれか又は双方により行う。
【００１８】
次に、この実施の形態の動作を、図４のフローチャートを用いて説明する。  
建物１０内に火災が発生すると、運転制御装置１１の救助呼び指示手段３１には、発生場所近くの火災検出装置２３や乗り場呼び登録手段１５の煙又は炎感知素子２９から火災検出信号や感知信号が入力されるので、建物１０内の火災発生が検出される（ステップ４０１：Ｙ）。火災発生が検出されると、その時点で入力されていた各階乗り場呼び登録装置１５からの乗り場呼びを一旦、全てキャンセルする（ステップ４０２）。その後、各階乗り場呼び登録装置１５により、呼びボタン連打による救助呼び方法の案内が、音声出力や文字表示により行われる（ステップ４０３）。
【００１９】
各階乗り場呼び登録装置１５による救助呼び方法の案内が行われた後に、一定時間以上連続した呼びがあった場合（ステップ４０４：Ｙ）、この呼びは接点溶着によるものと判断し、その階床の乗り場呼び登録装置１５により、この乗り場呼び登録装置１５は呼び登録を行えないことを案内させる（ステップ４０５）。勿論、この一定時間以上連続した呼びのあった階床への救出運転は許可しない。したがって、炎などに起因する接点溶着が生じ、呼び登録と同じ状態が継続しても、これを接点溶着と判別するので、炎が乗り場近くにまで周っている危険な階床に乗りかごが着床することはなく、乗客を安全に保護することができる。
【００２０】
一方、救助呼び方法が案内された後に、案内したとおりのボタン連打による呼びを検出すると（ステップ４０６：ＹＥＳ）、これを正しい救助呼びと認識し、この正しい救助呼びのあった階床の呼びボタン２５の応答灯を点灯させる（ステップ４０７）。これにより、救助呼びを行った避難者に対して救助が受け付けられたことを知らせる。また、このボタン連打による呼びが行われた階床に対して優先的に呼び応答オペレーションを実行する（ステップ４０８）。すなわち、運転制御手段３０に対して救助運転を許可し、正しい救助呼びのあった階床へ乗りかご１６を向わせて着床させ、避難者を救助するよう指示する。さらに、このボタン連打による呼びが行われたことを、乗りかご１２内のかご呼び登録装置１６にも受けた表示パネルに表示することにより、乗りかご名１２の運転手（消防士など）に、避難者の存在を知らせることができ、救助運転を効果的に行うことができる。したがって、実際に避難者が存在し、救出呼びを行っている階床に乗りかごを着床させ、この避難所を救出することができる。
【００２１】
このように、火災発生時に、各階床からの乗り場呼び登録を一旦キャンセルし、各階床の乗り場呼び登録装置１７よって、ボタン連打により呼びを行うように案内するので、避難者による乗り場呼びなのか、呼びボタンの接点溶着による誤った呼びなのかを明確に判別できる。したがって、炎が乗り場にまで達して乗り場呼びボタン２５の接点が溶着した危険な階床に乗りかごを着床させてドア開するようなことは確実に防止することができ、救出運転に対する安全性がより一層向上する。
【００２２】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２３】
１１・・・運転制御装置
１２・・・乗りかご
１５・・・乗り場呼び登録装置
１６・・・かご呼び登録装置
２３・・・火災検出器
２５・・・乗り場呼びボタン
２６・・・表示パネル
２７・・・乗り場表示装置
２９・・・煙又は炎感知素子
３０・・・運転制御手段
３１・・・救助呼び指示手段
３２・・・救助運転制御手段
【図１】
0005743321.tif 000002
【図２】
0005743321.tif 000003
【図３】
0005743321.tif 000004
【図４】
0005743321.tif 000005